(57)【要約】【課題】介護用の抑制手袋をはめると患者の指先に装着した患者のパルスオキシメーターなどの装置の取り換えが煩雑であるという問題がある。【解決手段】本発明に係る抑制手袋は、手を収納する袋状のミトン部と、手を挿入するための開口部と、前記開口部を締め付けて手首に固定する第１固定部とを備えた抑制手袋であって、前記ミトン部は、手首側を覆う第１被覆部と、指先側を覆い、前記第１被覆部と接合して、前記手の全体を覆う第２被覆部と、前記第２被覆部を前記第１被覆部に固定するための第２固定部を備え、前記第２固定部による固定を解除して前記第２被覆部を前記第１被覆部から取り外すことで前記指先が露出する構造を備える。【選択図】図１
2017031539.tif 000002
【特許請求の範囲】
【請求項１】
手を収納する袋状のミトン部と、手を挿入するための開口部と、前記開口部を締め付けて手首に固定する第１固定部とを備えた抑制手袋であって、
前記ミトン部は、
手首側を覆う第１被覆部と、
指先側を覆い、前記第１被覆部と接合して、前記手の全体を覆う第２被覆部と、
前記第２被覆部を前記第１被覆部に固定するための第２固定部を備え、
前記第２固定部による固定を解除して前記第２被覆部を前記第１被覆部から取り外すことで前記指先が露出する抑制手袋。
【請求項２】
前記第２固定部には、マグネットキーを用いる
ことを特徴とする請求項１に記載の抑制手袋。
【請求項３】
前記第２被覆部は、発熱具を収納するための収納部を備える
ことを特徴とする請求項１又は２に記載の抑制手袋。
【請求項４】
前記開口部の内側に、前記手に装着した医療機器に接続される配線や管を固定するための第３固定部を備える
ことを特徴とする請求項１〜３のいずれか１項に記載の抑制手袋。
【請求項５】
前記第２被覆部は、その一部が、前記第１被覆部と分離不可能に構成されている
ことを特徴とする請求項１〜４のいずれか１項に記載の抑制手袋。
【請求項６】
前記第１被覆部及び前記第２被覆部は、メッシュ素材により構成されている
ことを特徴とする請求項１〜５のいずれか１項に記載の抑制手袋。
【発明の詳細な説明】
【技術分野】
【０００１】
本発明は、患者が手を自由に使うことができるのを抑制する抑制手袋に関する。
【背景技術】
【０００２】
近年、医療及び介護の現場においては、患者自身による自傷行為や、患者に取り付けられている点滴装置やモニタリング機器等の医療機器を、患者が自由に取り外すことを防止するための抑制手袋が開発され、利用されている。
【０００３】
そのような抑制手袋としては、例えば、特許文献１に記載されるものがある。
【先行技術文献】
【特許文献】
【０００４】
【特許文献１】特開平１１−４８４３号公報
【発明の概要】
【発明が解決しようとする課題】
【０００５】
ところで、上述のような医療機器には、患者の状態をモニタリングするために、患者の指先に取り付けて脈や血中酸素濃度を測定するパルスオキシメーターというものがある。この指先に取り付けるタイプのパルスオキシメーターは、指先に長時間取り付けておくと、指先の痺れや鬱血といった害を患者に及ぼす可能性がある。そのため、医療従事者または介護従事者は、患者のパルスオキシメーターを取り付けている指を一定時間ごとに変更する必要がある。そのような場合に、患者に抑制手袋が装着されていると、医療機器を装着する指の変更が煩雑になるという問題がある。
【０００６】
そこで、本発明は上記問題に鑑みて成されたものであり、患者が抑制手袋を装着していても、医療従事者または介護従事者による、患者の手指に装着している医療機器の取り換えや装着している指の変更が煩雑にならない抑制手袋を提供することを目的とする。
【課題を解決するための手段】
【０００７】
上記課題を解決するために、本発明の一態様に係る抑制手袋は、手を収納する袋状のミトン部と、手を挿入するための開口部と、開口部を締め付けて手首に固定する第１固定部とを備えた抑制手袋であって、ミトン部は、手首側を覆う第１被覆部と、指先側を覆い、第１被覆部と接合して、手の全体を覆う第２被覆部と、第２被覆部を第１被覆部に固定するための第２固定部を備え、第２固定部による固定を解除して第２被覆部を第１被覆部から取り外すことで指先が露出する。
【発明の効果】
【０００８】
本発明の一態様に係る抑制手袋は、手指の先が露出するように構成されている。したがって、医療機器を取り付ける指を変更する場合には、第１被覆部を第２被覆部から離すだけで、指を露出させて変更することができる。また、その際に完全に抑制手袋を手から外す必要がないので、完全に手から取り外して医療機器を取り付ける指を変更する場合に比べて、抑制手袋を脱いで、もう一度着るという手間を省くことができる。
【図面の簡単な説明】
【０００９】
【図１】（ａ）は、手の甲側から見た抑制手袋の外観図である。（ｂ）は、手の平側から見た抑制手袋の外観図である。
【図２】（ａ）は、手の甲側から見た第２被覆部１２０を第１被覆部１１０から外した状態の抑制手袋の外観図である。（ｂ）は、第２被覆部１２０を第１被覆部１１０から外した状態の手の平側から見た抑制手袋の外観図である。
【図３】（ａ）は、抑制手袋の側面図である。（ｂ）は、抑制手袋の断面図である。
【図４】（ａ）〜（ｄ）は、マグネットキーを説明するための図である。
【図５】発熱具を抑制手袋に収納する様子を示す図である。
【図６】本発明に係る抑制手袋の一使用形態を示す図である。
【発明を実施するための形態】
【００１０】
本発明に係る抑制手袋の一実施態様について、図面を参照しながら説明する。
＜構成＞
本発明に係る抑制手袋１００は、手を収納する袋状のミトン部と、手を挿入するための開口部と、前記開口部を締め付けて手首に固定する第１固定部１３０とを備える。
【００１１】
ミトン部は、手首側を覆う第１被覆部１１０と、指先側を覆い、第１被覆部１１０と接合して、手の全体を覆う第２被覆部１２０と、第２被覆部１２０を第１被覆部１１０に固定するための第２固定部１４０とを含む。
【００１２】
第２固定部１４０は、第１被覆部１１０と第２被覆部１２０とを接続して、離れないような構造であればよく、例えば、マグネットキーやボタン、第１被覆部１１０に設けられた紐を第２被覆部１２０に設けられた穴に通して括る構成などにより実現される。
【００１３】
そして、抑制手袋１００は、第２固定部１４０による固定を解除して第２被覆部１２０を第１被覆部１１０から取り外すことで指が露出する構成となっている。
【００１４】
また、第２被覆部１２０は、発熱具を収納するための収納部１５０ａ、１５０ｂを備えることとしてよく、例えば、発熱具を入れるための小袋などにより実現される。
【００１５】
また、抑制手袋１００は、開口部の内側に、手に装着した医療機器に接続される配線や管を固定するための第３固定部を備えることとしてもよい。当該第３固定部は、第１固定部１３０と共通であってもよい。
【００１６】
以下、抑制手袋１００の一実施態様について図１〜図３を用いて詳細に説明する。
【００１７】
図１（ａ）は、手の甲側から見た抑制手袋１００の外観図であり、図１（ｂ）は、手の平側から見た抑制手袋１００の外観図であり、共に患者の手に装着している状態を示している。
【００１８】
図１（ａ）に示されるように、抑制手袋１００は、第１被覆部１１０と第２被覆部１２０とが合わさって袋状に形成されるミトン部と、ミトン部内部に手を挿入するための開口と、開口から挿入された手の手首を固定するための第１固定部１３０から構成される。
【００１９】
第１被覆部１１０と、第２被覆部１２０とは、柔軟性のある素材から成り、かつ、抑制手袋１００を装着している手が蒸れないように、通気性の良い生地から成ることが望ましい。第１被覆部１１０と第２被覆部１２０とは、例えば、メッシュ生地により実現される。
【００２０】
第１固定部１３０は、ユーザが抑制手袋１００を手にはめた状態で手首部分を締め付けて抑制手袋１００をユーザが容易に着脱できないようにするものであり、例えば、面ファスナーを用いたリストバンドなどによって実現される。なお、ユーザの手首部分を適度に締めて抑制手袋１００が手から容易に外れないようにすることができるものであれば、第１固定部１３０としてその他の構成を採用してもよい。例えば、抑制手袋１００の手首部分に紐を設けて、その紐をくくるようにしてもよい。また、あるいはボタン留めできるように構成してもよい。
【００２１】
図１（ａ）、（ｂ）に示すように、第１被覆部１１０に第２被覆部１２０を覆いかぶせることにより、第１被覆部１１０と第２被覆部１２０とは指なし手袋形状のミトン部を構成する。
【００２２】
第２被覆部１２０は、第２固定部１４０（図１には、第２固定部１４０としてマグネットキーを用いた場合にその一部を構成するマグネットキーメス１４０ａを示している）により、第１被覆部１１０から離れないように留められている。マグネットキーの詳細については後述する。
【００２３】
図２（ａ）、（ｂ）に示すように、抑制手袋１００は、第２固定部１４０を外すことにより、第２被覆部１２０を第１被覆部１１０から外すことができる構成になっており、これにより、抑制手袋１００を装着しているユーザの手を露出させることができる。
【００２４】
図２（ａ）は、ユーザの手を露出させた状態の抑制手袋１００を手の甲側から見た外観図を示している。また、図２（ｂ）は、ユーザの手を露出させた状態の抑制手袋１００を手の平側から見た外観図を示している。
【００２５】
図２（ａ）、（ｂ）に示すように、第２被覆部１２０は、縫い取り部１６０を支点にして回転するようにして、第１被覆部１１０から外れて、ユーザの指先が露出する。この状態においては、手の甲側から見た場合に、図２（ａ）に示すように、マグネットキーメス１４０ａに勘合していた、マグネットキーオス１４０ｂの凸部を確認することができる。
【００２６】
図２（ｂ）に示すように、ユーザの指先が露出する場合には、第２被覆部１２０は、第１被覆部１１０の手の平側に位置する。
【００２７】
図２（ａ）、（ｂ）に示すように、第２被覆部１２０を第１被覆部１１０から外すことにより、ユーザの指先が露出することになる。したがって、抑制手袋１００を完全にユーザの手から取り外すことなく、ユーザの指先に装着したパルスオキシメーター２００を装着する指を変更できる。よって、従来よりもパルスオキシメーター２００の着脱や、装着している指の変更が容易になる。すなわち、第１固定部１３０の留め外し及び抑制手袋の脱着を、パルスオキシメーター２００の着脱または装着している指の交換のたびにする必要がなくなる。
【００２８】
また、図１（ａ）に示されるように、パルスオキシメーター２００に接続されている配線２１０は、第１被覆部１１０と第２被覆部１２０の間から、抑制手袋１００の内部から外部へと導出されている。そして、配線２１０は、第１固定部１３０により、手首部分で固定され、その先のコンピュータやモニターなどに接続される。配線２１０を第１被覆部１１０の内部を通し、当該配線２１０を手首部分で第３固定部１３０を用いて固定して、ミトンの開口部から外部に導出させた場合には、当該配線２１０が第３固定部１３０により手首を圧迫して患者に褥瘡や潰瘍を発症させる要因となり得る。そこで、抑制手袋１００のように、配線２１０を第１被覆部１１０と第２被覆部１２０との間から外部へと導出し、第１被覆部１００の外側で配線２１０を第３固定部１３０により固定することで、褥瘡や潰瘍を発症する可能性を低減することができる。
【００２９】
図３（ａ）は、抑制手袋１００の側面図であり、図３（ｂ）は、その断面図である。
【００３０】
図３（ａ）に示されるように、第２被覆部１２０は、第１被覆部１１０に覆いかぶさるので、この状態では、ユーザの指先は露出することがないので、パルスオキシメーター２００をユーザ自身が容易に外せないようになっている。
【００３１】
図４は、マグネットキーを説明するための図である。マグネットキーとしては、既存のものを用いることとする。
【００３２】
図４（ａ）に示すように、マグネットキーは、マグネットキーメス１４０ａとマグネットキーオス１４０ｂとからなる。なお、マグネットキーメス、マグネットキーオスは、それぞれを区別するための呼称である。
【００３３】
マグネットキーメス１４０ａは、マグネットキーオス１４０ｂの凸部と勘合する凹部（穴）（図示せず）を有する。マグネットキーは、マグネットキーオス１４０ｂの凸部がマグネットキーメス１４０ａの凹部に差し込まれることにより、マグネットキーメス１４０ａがマグネットキーオス１４０ｂから人力では容易に離間できない構造になっている。図４（ｂ）は、マグネットキーオス１４０ｂをマグネットキーメス１４０ａに嵌めた状態を示している。
【００３４】
図４（ｃ）は、マグネットキーに磁石４３０を近づけた状態を示し、図４（ｄ）は、磁石をマグネットキーメス１４０ａに接触させて、マグネットキーメス１４０ａをマグネットキーオス１４０ｂから外した状態を示している。
【００３５】
図４（ｄ）に示す状態、すなわち、磁石４３０をマグネットキーメス１４０ａに接触させると、マグネットキーオス１４０ｂの凸部を締める機構が解除され、マグネットキーメス１４０ａを、マグネットキーオス１４０ｂから離間させることができる。
【００３６】
そして、図１（ａ）、図２（ａ）、図３（ｂ）などに示すように、マグネットキーメス１４０ａが、第２被覆部１２０に、マグネットキーオス１４０ｂが、第１被覆部１１０に設けられているので、マグネットキーメス１４０ａにマグネットキーオス１４０ｂが勘合して、第２被覆部１２０が第１被覆部１１０から容易に離れない構造を実現している。
【００３７】
図５は、抑制手袋１００の収納部１５０ｂに、発熱具３１０を収納する様子を示している。図１（ｂ）に示すように収納部１５０ｂは、第２被覆部１２０の手の平側に設けられている。また、図１（ａ）に示すように同様の収納部１５０ａが、第２被覆部１２０の手の甲側に設けられている。
【００３８】
図５に示すように、収納部１５０ｂは、ボタンを外して蓋を外すことで、中に発熱具３１０を収納することができる袋である。また、ここには図示していないが収納部１５０ａは、図５に示す収納部１５０ｂと同様の構造を有する。また、発熱具３１０は、ユーザの手を温めることができるものであれば、どのようなものであってもよく、例えば、カイロやホットパックによって実現される。これは、その他に、例えば、湯たんぽなどであってもよい。また、ここでは、発熱具３１０と呼称しているが、発熱具３１０は、自身が発熱するものでなくともよく、常温よりも温度の高く、ユーザが火傷しない程度の高温の物体であればどのようなものであってもよい。一般に、患者がショックバイタル状態にあるとき、末梢血管の収縮が起こることが知られている。抑制手袋１００は、収納部１５０ａ、１５０ｂを備え、発熱具３１０を収納することで、その血管の収縮を抑制することができる。
【００３９】
本実施の形態に示した抑制手袋１００は、例えば、図６に示すように、病室などで、患者の状態をモニタリングするのに用いることができる。図６においては、オキシパルスメーター２００を指先に装着して、脈拍を表示している例を示している。
【００４０】
また、抑制手袋１００を装着している患者が例えば、点滴などを行っていた場合に、患者自身が点滴用の注射針を抜いたりすることを防止することができる。そして、図１（ａ）、（ｂ）、図２（ａ）、（ｂ）、などに示した構造を有することにより、患者の指先に装着した医療機器を、簡単に別の指先に装着しなおしたりすることができる。
＜変形例＞
上記実施の形態に本発明に係る発明の一実施態様を説明したが、本発明に係る思想がこれに限られないことは言うまでもない。以下、本発明に係る思想として含まれる各種変形例について説明する。
【００４１】
（１）上記実施の形態においては、縫い取り部１６０を設けて、第２被覆部１２０が第１被覆部１１０から完全に離れないような構成としているが、これはその限りではない。装着時に第２被覆部１２０が第１被覆部１１０から容易に離れないような構造になっていればよく、その場合には、縫い取り部１６０は設けずともよい。また、その場合には、縫い取り部１６０の位置や、第１被覆部１１０と第２被覆部１２０の側面にマグネットキー等の固定用の器具を用いて留めることができる構造にしてもよい。
【００４２】
（２）上記実施の形態においては、縫い取り部１６０は、抑制手袋１００の手の平側に設けることとしているが、これは、手の甲側に設け、第２固定部１４０を手の平側に設ける構造としてもよい。
【００４３】
（３）上記実施の形態においては、ユーザの手指に装着する機器として、パルスオキシメーター２００を一例として説明しているが、これは、パルスオキシメーターに限定するものではなく、ユーザ自身に容易に機器を外させたくないものであれば、その他の医療機器などであってよく、例えば、脈拍計や注射針などであってもよい。
【００４４】
（４）上記実施の形態においては、抑制手袋１００は、手の形に合わせた円形状のものを一例として、図１（ａ）や図１（ｂ）などに示したが、抑制手袋１００は、ユーザの手が入ればその形状は、図１（ａ）や図１（ｂ）に示した形状でなくともよく、例えば、矩形状のものであってもよいし、台形形状などであってもよい。
【００４５】
（５）上記実施の形態においては、特に記載していないが、第１被覆部１１０、第２被覆部１２０は、その生地を２重にして中空構造とし、内部に海綿体や綿等の部材を詰めて、抑制手袋１００を装着するユーザの手を防護する機能を向上させることとしてもよい。
【００４６】
（６）上記実施の形態においては、収納部１５０ａ、１５０ｂを第２被覆部１２０に設けることとしたが、第１被覆部１１０に設けてもよい。また、上記実施の形態においては、収納部１５０ａ、１５０ｂをそれぞれ手の平側と手の甲側とに設けることとしているが、これは、手の平側、手の甲側のいずれか一方にのみ設ける構造であってもよい。
【００４７】
（７）上記実施の形態においては、第２被覆部１２０は、手の平側で、縫い取り部１６０により、第１被覆部１１０に縫い付けられていることとしたが、これはその限りではない。第２被覆部１２０は、手の平側ではなく、手の甲側で、第１被覆部１１０に縫い付けられていてもよい。その場合には、指先を露出させた場合には、第２被覆部１２０は、第１被覆部１１０の手の甲側に位置することとなる。
【００４８】
（８）上記実施の形態においては、配線２１０を、第１被覆部１１０と第２被覆部１２０との間から外に出すこととしているが、これはその限りではない。例えば、第１被覆部１１０内部を通し、手首の開口部から出すこととしても良い。そして、その際に、第１被覆部１１０内部に配線２１０を固定するための第３固定部を設けることとしてもよい。
＜補足＞
以下に、本発明に係る抑制手袋の一実施態様と、その効果について説明する。
【００４９】
（ａ）本発明に係る抑制手袋は、手を収納する袋状のミトン部と、手を挿入するための開口部と、開口部を締め付けて手首に固定する第１固定部とを備えた抑制手袋であって、ミトン部は、手首側を覆う第１被覆部と、指先側を覆い、第１被覆部と接合して、手の全体を覆う第２被覆部と、第２被覆部を第１被覆部に固定するための第２固定部を備え、第２固定部による固定を解除して第２被覆部を第１被覆部から取り外すことで指先が露出する。
【００５０】
これにより、抑制手袋は、抑制手袋を装着したユーザの指先が露出するので、抑制手袋をユーザの手から外すことなく、ユーザの指先に装着した医療機器を別の指に容易に装着しなおすことができる。したがって、抑制手袋を外して、再装着するという手間が省けるので、医療及び介護の現場での効率の向上が見込める。
【００５１】
（ｂ）上記（ａ）に係る抑制手袋において、第２固定部には、マグネットキーを用いることとしてもよい。
【００５２】
これにより、抑制手袋を装着したユーザは、第２被覆部を第１被覆部から容易には取り外しができなくなる。したがって、ユーザが指先を露出させて、点滴装置などの医療機器を自身から外すというような行為を防止することができる。
【００５３】
（ｃ）上記（ａ）又は（ｂ）に係る抑制手袋において、第２被覆部は、発熱具を収納するための収納部を備えることとしてもよい。
【００５４】
これにより、例えば、冬場などには、収納部に発熱具としてカイロなどを収納することで、抑制手袋を装着するユーザの手を温めることができる。
【００５５】
（ｄ）上記（ａ）〜（ｃ）のいずれかに係る抑制手袋において、開口部の内側に、手に装着した医療機器に接続される配線や管を固定するための第３固定部を備えることとしてもよい。
【００５６】
これにより、抑制手袋内において、配線や管がユーザの手に絡まる可能性を低減することができる。
【００５７】
（ｅ）上記（ａ）〜（ｄ）のいずれかに係る抑制手袋において、第２被覆部は、その一部が、第１被覆部と分離不可能に構成されていることとしてもよい。
【００５８】
これにより、第２被覆部を第１被覆部から完全に分離できるように構成した場合に比して、取り外した第２被覆部を第１被覆部への装着がスムーズに行える。
【００５９】
（ｆ）上記（ａ）〜（ｅ）のいずれかに係る抑制手袋において、第１被覆部及び第２被覆部は、メッシュ素材により構成されていることとしてもよい。
【００６０】
これにより、第１被覆部、第２被覆部は、通気性が良くなるので、例えば、気温の高い日などにおいて、汗をかくなどして、抑制手袋を装着したユーザの不快感を抑制することができる。
【符号の説明】
【００６１】
１００  抑制手袋
１１０  第１被覆部
１２０  第２被覆部
１３０  第１固定部（第３固定部）
１４０  第２固定部
１４０ａ  マグネットキーメス（第２固定部）
１４０ｂ  マグネットキーオス（第２固定部）
１５０ａ、１５０ｂ  収納部
１６０  縫い付け部
２００  パルスオキシメーター
２１０  配線
３１０  発熱具
４３０  磁石
【図１】
2017031539.tif 000003
【図２】
2017031539.tif 000004
【図３】
2017031539.tif 000005
【図４】
2017031539.tif 000006
【図５】
2017031539.tif 000007
【図６】
2017031539.tif 000008